(57)【特許請求の範囲】
【請求項１】
鋼板等から成る表面材と裏打ち材とが貼り合わされて構成される間仕切りパネルであって、裏打ち材の周りを囲む表面材の縁を切断して該裏打ち材と接着している表面板だけの状態とし、この表面板を裏打ち材から剥がし取る装置において、パネルを強制的に送る為の送り出し装置、パネル先端の表面板に係止して先端部を剥がすことが出来るように上下動するツメ、そして剥がされた先端部に進入して表面板を剥離する剥がし平刃から構成したことを特徴とする間仕切りパネルにおける表面板の分離装置。
【請求項２】
鋼板等から成る表面材と裏打ち材とが貼り合わされて構成される間仕切りパネルであって、裏打ち材の周りを囲む表面材の縁を切断して該裏打ち材と接着している表面板だけの状態とし、この表面板を裏打ち材から剥がし取る装置において、架台上には回転駆動する複数本のコンベヤローラを配列すると共に、その先にはパネルを挟み込んで送り出す上送りローラと下送りローラを取り付け、このコンベヤローラ上にはパネルの幅及び厚さに応じて調整出来るようにしたパネルガイドを設け、そして架台と所定の間隔をおいてパネル先端が当るストッパーを上下動可能に設けると共に、該ストッパーにはパネルの裏打ち材に食い込んで表面板に係止するツメを軸支し、ツメから延びるアーム先端にはシリンダーのピストンロッドを連結してツメを回転駆動可能とし、さらにストッパーより先にはパネル幅より長い剥がし平刃を配置して水平動可能としたことを特徴とする間仕切りパネルにおける表面板の分離装置。
【請求項３】
剥がし平刃の先には裏打ち材が載って移動する支持ローラ、そして剥がし平刃の下方には表面板が載って移動するローラを備えた請求項2記載の間仕切りパネルにおける表面板の分離装置。
【請求項４】
上記表面材の縁を切断しないで引き延ばして表面板と同一面とし、裏打ち材前方へ突出した表面板をツメで係止可能とした請求項1、請求項２、又は請求項３記載の間仕切りパネルにおける表面板の分離装置。
【発明の詳細な説明】
【０００１】
【発明の属する技術分野】
本発明は解体した間仕切りパネルの少なくとも一部をリサイクルする為の技術であって、その為にパネルを構成する表面材と裏打ち材を分離する装置に関するものである。
【０００２】
【従来の技術】
リサイクルとは不用になった物を再利用することであり、このリサイクルの対象は大きな意味でのゴミである。家庭から出るゴミの約５０％は包装容器であると言われ、今日における商品の多様化や流通過程の要請などにより、無数に近い包装容器が使用されていると共に、増加する傾向にある。又このようなゴミは家庭から出る場合に限らず、産業廃棄物と称されて事業活動に伴って生じた廃棄物があり、公害防止の為に、燃え殻、汚泥、廃油などは事業者自ら処理しなくてはならないように義務付けられている。
【０００３】
社会はそれぞれの利益を求めて活動し、今日のような経済の発展をもたらした訳であるが、その裏には地球環境の破壊、資源の無駄使い等が大きく犠牲になっていることは否定できない。いらなくなった物を単にゴミとして処分し、これを焼却したり、埋立てするだけでなく、ゴミの一部をリサイクルすることが必要となってきている。
【０００４】
本発明が対象とする間仕切りパネルも解体すれば1つのゴミであり、従来ではこれらを所定の場所に埋立て処分している。間仕切りパネルにもその形態は色々あるが、基本的には裏打ち材と表面材から構成され、裏打ち材としては石こうボード、珪酸カルシウム板、木質板、パーティクルボード等があり、表面材は鋼板、アルミ板、ステンレス板、樹脂等が主である。
【０００５】
【発明が解決しようとする課題】
このように、鋼板等から成る表面材と裏打ち材が互いに貼り合わされて構成している間仕切りパネルをリサイクルするには、先ず、これら両部材を分離することが必要となる。本発明が解決しようとする課題はこの問題点であり、接着剤を介して強固に接着されている裏打ち材と表面材を簡単に分離することが出来る分離装置を提供する。
【０００６】
【課題を解決する為の手段】
間仕切りパネルは長方形の板状態であって、裏打ち材に表面材としての鋼板等が貼り合わされているが、表面材は裏打ち材の表面側だけでなく、側部並びに上下部を被覆する為の縁を有している。すなわち、縁を起立した長方形の盆の中に裏打ち材が嵌って固着されている状態と成っている。勿論、パネルの種類によっては四方に縁を備えていない場合もあるが、裏打ち材と表面材を分離するにはこれら縁が障害となる。
【０００７】
そこで、縁を切断して表面板だけとした状態で裏打ち材と表面板を分離する。本発明に係る分離装置は上記表面板と裏打ち材とを分離する為の装置である。そこで、縁を切り落としたパネルを載せる架台に複数本のコンベヤローラが配列され、そしてコンベヤローラの上にはパネルの両側をガイドする2本のパネルガイドを平行に配置している。パネルガイドはパネルの大きさに応じて対応出来るように、パネルガイド間距離、及びコンベヤローラまでの距離は調整出来る構造と成っている。
【０００８】
そしてパネルガイドの先にはパネル送りローラを上下に設け、上下のパネル送りローラでパネルを挟み込んで強制的に送ることが出来る。ここで、パネルを送り出す手段はこの送りローラに限定しないことにする。例えば、パネル後方端に部材を押し当て、この部材をチェーンなどで移動させることでパネルを送り出すことも可能である。
【０００９】
そしてパネル送りローラの先には所定の間隔をおいてストッパーが設けられ、該ストッパーは昇降動することが出来、しかもストッパーはツメを備えている。パネル送りローラにて送られたパネルはストッパーに当って停止し、この状態でツメが回転してパネル裏打ち材に食い込み、表面材を引っ掛けることが出来る。そしてストッパーと共にツメは降下するが、降下に伴ってパネル先端部の表面板は剥がされる。
【００１０】
前方には剥がし平刃が配置されており、裏打ち材から表面板の先端側一部が剥がされた隙間に該平刃が進入することになる。すなわち、剥がし平刃はパネル幅より長く両端部が支持されていて、強制的にパネルを送り出すことで表面板は剥がし平刃により剥がし取られる。ここで、パネルの表面材の縁を必ずしも切断しないで表面板と同一面になるように引き延ばし、この引き延ばされた表面板をツメで挟んで一部を剥がし、この剥がされた部分に剥がし平刃を進入させることも出来る。以下、本発明に係る実施例を図面に基づいて詳細に説明する。
【００１１】
【実施例】
図1は一般的な間仕切りパネルを示している。同図の1は裏打ち材である石こうボード、2は表面材を表わしており、表面材1は同図の底に位置している表面板３、両側縁４，４、上縁５、及び下縁６からなり、上記石こうボード1はお盆型をした表面材2の中に入っている。そして表面板3は石こうボード1と接着剤にて強固に固着されている。
【００１２】
間仕切りパネルによっては、片方の側縁4を持たない場合、又上縁5を備えていない場合もあるが、一般的には石こうボード面に貼り合わされる表面板3と縁４，５，６からなっている。そして側縁4にはコ型をした止着部7を形成し、パネルを据え付ける際に、スタッドに該止着部7を介して取付けられる。従って、壁に面して据え付けられる間仕切りパネルであれば、側端はエンドレールに嵌ることから側縁4を必要としない。
【００１３】
図2は表面材2の縁を切断除去する工程を示しているが、(ａ)は上縁5と下縁6を切断した場合であり、(ｂ)は両側縁４，４が切断された場合を示している。切断方法は自由であって、刃物を用いたり砥石を使用することも、さらには溶断してもよい。このように両側縁４，４、及び上下縁５，６が切断されたならば、表面板３だけが石こうボード１に貼り付いている。
【００１４】
本発明の表面材の分離装置はこの表面板3を石こうボード1から剥ぎ取る為の装置であり、図３、図４はこの装置の概略図を示している。
架台８の上には複数本のコンベヤローラ９，９…が一定間隔で配列され、このコンベヤローラに載ったパネルは前方へ移動するようにコンベヤローラ９，９…は回転駆動する。そしてコンベヤローラ９，９…の上方には2本のパネルガイド１０，１０が平行に設けられ、しかも幅及び厚さの異なるパネルであってもガイド出来るように両パネルガイド１０，１０間距離は調整可能となっており、又コンベヤローラ９，９…間距離を調整出来る。
【００１５】
そこで、パネルガイド１０，１０の両端部にはスクリューネジ１１，１１が垂直を成して設けられ、モータ１２によって両スクリューネジ１１，１１が回転するならば、パネルガイド１０，１０間距離を変えることが出来る。またパネルガイド１０，１０の高さはスクリューネジ１３，１３…をモータ１４で回転することで行うことが出来る。しかし、パネルガイド１０，１０の調整は上記スクリューネジ１１，１１、１３，１３を用いることなく、シリンダーで行うことも出来る。
【００１６】
パネルガイド１０，１０に拘束されて送られるパネルは、上送りローラ１５，１５…と下送りローラ１６，１６…に挟まれて送り出される。同図の１７は上送りローラ１５，１５…を回転駆動する為のモータ、１８は下送りローラ１６，１６…を回転駆動する為のモータを示し、これら上下送りローラ１５，１５…、１６，１６…に挟まれて送り出されるパネル１９は、ストッパー２０に当って停止する。
【００１７】
図５は図４のＡ部拡大図を示している。前方に設けているストッパー２０はシリンダー２１のピストンロッドの伸縮動により台２２が上下動することで、同じく上下方向に動くことが出来る。図４は上昇したストッパー２０にパネル１９の先端が当って停止している場合であり、この場合、上下送りローラ１５，１５…、１６，１６…の回転は停止する。架台8の先にはセンサーが取付けられ、送り出されるパネル１９の先端位置を検出し、ストッパーに当る前で送りローラ１５，１６の挟持力を弱めてストッパーに衝撃が作用しないようにしている。
【００１８】
そして上記ストッパー２０と対を成してツメ２３が軸２４に軸支されている。台２２にはシリンダー２５が取付けられて、ピストンロッドの先端はツメ２３から延びているアーム先端と連結している。従って、シリンダー２５のピストンロッドが突出するならばツメ２３は時計方向に回転し、逆にピストンロッドが後退するならばツメ２３は反時計方向に回転する。該ツメ２３は反時計方向に回転することで先端はパネルの裏打ち材に食い込むことが出来、同図はこの状態を示している。
【００１９】
ツメ２３が裏打ち材１に食い込むことで、パネル１９は後退しようとするが、これを防止する為にモータ１７，１８が停止すると共にブレーキが作用する。すなわち、これらモータ１７，１８はブレーキ付きモータとなっている。そしてツメ２３が裏打ち材1に食い込んで表面板3に係止したところで、シリンダー２１が作用してピストンロッドが後退し、該ツメ２３により表面板３の一部を剥離する。
【００２０】
図６はツメ２３によって表面板3の一部が剥離された場合であるが、ツメ２３はストッパー２０との間に表面板3を挟み込んだ状態で外れないようにしてピストンロッドを後退し、同図に示すように剥離する。従って表面板3と裏打ち材1との間に隙間２７が形成され、この隙間２７に剥がし平刃２８が進入する。剥がし平刃２８はパネル幅よりも長く、その両サイドに設けている支持棒２９，２９によって支持され、シリンダーのピストンロッドが後退することで上記隙間２７に剥がし平刃２８は進入する。
【００２１】
剥がし平刃２８が隙間２７に嵌ったところで、モータ１７，１８の駆動により上送りローラ１５，１５…、及び下送りローラ１６，１６…が回転してパネル１９を送り出す。従ってパネル１９は送られながら表面板３は裏打ち材１から分離することが出来る。分離された裏打ち材1は支持ローラ３０，３０に載って移動し、一方の表面板３はローラ３１ａ，３１ｂ、３１ａ，３１ｂ…の間を移動して次の工程へ送られる。
【００２２】
以上述べたように、本発明に係るパネル表面板の分離装置はパネルを挟んで送り出す送りローラと、表面板の先端に係止するツメ、及びツメによって一部剥がされた表面板と裏打ち材の間に押し込まれて表面板を剥離する剥がし平刃からなるもので、次のような効果を得ることが出来る。
【００２３】
【発明の効果】
本発明の間仕切りパネルにおける表面板の分離装置は、所定の位置まで送られたパネル先端にツメを引っ掛けて表面板の一部を剥がし、この部分に剥がし平刃を押し込んで表面板を分離することが出来る装置であり、ほぼ自動的に裏打ち材と表面板が分離でき、間仕切りパネルをリサイクルする上において大きな効果がある。
【００２４】
そして、本発明の装置はパネルの大きさ及び厚さが変化しても対応出来るように、調整可能なパネルガイドを備え、送り出し装置によりパネルを強制的に送り出すことで表面板を簡単に効率良く分離出来る。
【図面の簡単な説明】
【図１】間仕切りパネルの具体例。
【図２】間仕切りパネルの縁を切断する工程。
【図３】本発明の表面板剥離装置の平面図。
【図４】本発明の表面板剥離装置の正面図。
【図５】図４のＡ部拡大図。
【図６】ツメによって表面板の一部を剥がした場合。
【符号の説明】
１  石こうボード
２  表面材
３  表面板
４  側縁
５  上縁
６  下縁
７  止着部
８  架台
９  コンベヤローラ
10  パネルガイド
11  スクリューネジ
12  モータ
13  スクリューネジ
14  モータ
15  上送りローラ
16  下送りローラ
17  モータ
18  モータ
19  パネル
20  ストッパー
21  シリンダー
22  台
23  ツメ
24  軸
25  シリンダー
26  アーム
27  隙間
28  剥がし平刃
29  支持棒
30  支持ローラ
31  ローラ
【図１】
0004441698.tif 000002
【図２】
0004441698.tif 000003
【図３】
0004441698.tif 000004
【図４】
0004441698.tif 000005
【図５】
0004441698.tif 000006
【図６】
0004441698.tif 000007